(57)【要約】  【課題】  特性の異なる印画紙を使用可能であっても、各印画紙の使用頻度を適切に把握して在庫管理等を適正に行なえ、また、使用頻度の低い印画紙を適切に把握して不要なセットアップ作業を未然に回避できる写真処理装置を提供する。  【解決手段】  セットアップ作業により更新される出力画像データに対する補正データで、特性の異なる印画紙毎に固有の補正データを記憶可能な補正データ記憶部３ｄと、記憶された補正データに基づいて各印画紙を露光するデジタル露光部と、各印画紙の使用履歴を管理する履歴管理部３ｋと、履歴管理部３ｋによる履歴データを出力する履歴データ出力部３ｍと、各印画紙に関連する履歴データの報知条件を入力する報知条件入力部３ｌを設け、印画紙の使用履歴が報知条件入力部３ｌから入力された報知条件を満たしたときに、履歴データ出力部３ｍから履歴データを出力する。  【選択図】  図３
2005345580.tif 000002
【特許請求の範囲】
【請求項１】
特性の異なる複数の印画紙を使用可能な写真処理装置であって、
各印画紙の使用履歴を管理する履歴管理部と、前記履歴管理部による履歴データまたは当該履歴データに対応するデータを出力する履歴データ出力部を備えてある写真処理装置。
【請求項２】
各印画紙に関連する履歴データの報知条件を入力する報知条件入力部を設け、前記印画紙の使用履歴が前記報知条件入力部から入力された報知条件を満たしたときに、前記履歴データ出力部から履歴データまたは当該履歴データに対応するデータを出力するように構成してある請求項１記載の写真処理装置。
【請求項３】
セットアップ作業により更新される出力画像データに対する補正データで、特性の異なる印画紙毎に固有の補正データを記憶可能な補正データ記憶部と、前記補正データ記憶部に記憶された補正データに基づいて各印画紙を露光するデジタル露光部とを備え、前記報知条件が各印画紙に対するセットアップ作業の可否を判断可能な未使用期間データである請求項２記載の写真処理装置。
【請求項４】
セットアップ作業により更新される露光条件で、特性の異なる印画紙毎に固有の露光条件を記憶可能な露光条件記憶部と、前記露光条件記憶部に記憶された露光条件に基づいて各印画紙を露光する投影露光部とを備え、前記報知条件が各印画紙に対するセットアップ作業の可否を判断可能な未使用期間データである請求項２記載の写真処理装置。
【請求項５】
前記履歴データ出力部から出力される履歴データは、該当する印画紙の未使用期間データである請求項３または４記載の写真処理装置。
【請求項６】
前記報知条件が各印画紙に対するセットアップ作業の未完了を判断可能なセットアップ未完データであり、前記履歴データ出力部はセットアップ作業の完了していない印画紙が使用されるときに作動するように構成してある請求項３から５の何れか１項に記載の写真処理装置。
【発明の詳細な説明】
【技術分野】
【０００１】
本発明は、特性の異なる複数の印画紙を使用可能な写真処理装置に関する。
【背景技術】
【０００２】
現像済みのフィルムに記録されたコマ画像を印画紙に投影露光して写真プリントを生成し、または、前記コマ画像をフィルムスキャナによりデジタルデータとして読み込み、デジタル露光部で印画紙を露光して、露光処理後の印画紙を現像処理して写真プリントを生成する種々の写真処理装置では、現像処理液の活性状態のばらつきや、露光光量等の変動により、同じ特性の印画紙であっても、仕上りプリントの発色度合いや濃度が変動する虞があり、これらが適正になるように調整するセットアップ作業が日々必要とされていた。
【０００３】
ここに、上述のセットアップ作業は、投影露光方式の写真処理装置では、特性評価用のフィルムを投影露光して得られたプリントの濃度値等からプリントが適正な仕上がりかどうかを判定し、適正な仕上がりでなければ、調光フィルタの位置やシャッターの開放時間等を制御し、赤、緑、青の光量調整や露光時間といった露光条件を調整して、特性の異なる印画紙毎に固有の露光条件を露光条件記憶部に記憶させる作業をいい、デジタル露光方式の写真処理装置では、特性評価用の画像データに基づいて赤、緑、青の各色の濃度の異なる複数のテストパッチをプリント出力して、各テストパッチの濃度等を測定し、夫々の測定値が目標値になるように画像データを補正するための補正データを演算導出して装置に備えた記憶部に記憶させる作業である。
【特許文献１】特開２０００−２６７２０７号公報
【発明の開示】
【発明が解決しようとする課題】
【０００４】
しかし、従来の写真処理装置では、特性の異なる複数の印画紙を使用する場合が多々あるが、それらがどの程度使用されているのかを把握できなければ適切な在庫管理等をし辛いという問題があった。
【０００５】
また、特性の異なる印画紙を使用する場合には各印画紙毎にセットアップ作業をしなければならず、使用頻度が低く長期に亘り使用しない印画紙があっても、オペレータの認識が無ければ全ての印画紙について日々セットアップ作業を行なうことになり、非常にロスの多い煩雑な作業を行なわなければならないという問題があった。
【０００６】
本発明は、上述の従来欠点に鑑み、特性の異なる印画紙を使用可能であっても、各印画紙の使用頻度を適切に把握して在庫管理等を適正に行なえ、また、使用頻度の低い印画紙を適切に把握して不要なセットアップ作業を未然に回避できる写真処理装置を提供する点にある。
【課題を解決するための手段】
【０００７】
上述の目的を達成するため、本発明による写真処理装置の第一の特徴構成は、特許請求の範囲の書類の請求項１に記載した通り、特性の異なる複数の印画紙を使用可能な写真処理装置であって、各印画紙の使用履歴を管理する履歴管理部と、前記履歴管理部による履歴データまたは当該履歴データに対応するデータを出力する履歴データ出力部を備えてある点にある。
【０００８】
上述の構成によれば、特性の異なる各印画紙の使用履歴、例えば、使用された日時、使用量、セットアップ作業の行なわれた日時等が履歴管理部で適切に管理され、それらの履歴データが履歴データ出力部により出力されるので、オペレータや管理者が、それらの履歴データに基づいて写真処理装置や印画紙の管理作業を適切且つ効率的に行なえるようになるのである。
【０００９】
同第二の特徴構成は、同請求項２に記載した通り、上述の第一の特徴構成に加えて、各印画紙に関連する履歴データの報知条件を入力する報知条件入力部を設け、前記印画紙の使用履歴が前記報知条件入力部から入力された報知条件を満たしたときに、前記履歴データ出力部から履歴データまたは当該履歴データに対応するデータを出力するように構成してある点にある。
【００１０】
履歴管理部により管理されている管理履歴データを履歴データ出力部から出力させて確認する作業を常に行なうのは却って煩雑となるために、通常の作業で履歴データに注意が払われない虞も有る。そこで、上述の構成によれば、予め報知条件入力部に報知条件を入力しておき、管理データが入力された報知条件を満たしたときに履歴データ等を出力するように構成することで、通常の作業では履歴データに注意を払わなくとも、出力されたときに注意を払うことができるようになり、オペレータや管理者による確認作業の負担が大きく軽減されるものとなるのである。
【００１１】
同第三の特徴構成は、同請求項３に記載した通り、上述の第二の特徴構成に加えて、セットアップ作業により更新される出力画像データに対する補正データで、特性の異なる印画紙毎に固有の補正データを記憶可能な補正データ記憶部と、前記補正データ記憶部に記憶された補正データに基づいて各印画紙を露光するデジタル露光部とを備え、前記報知条件が各印画紙に対するセットアップ作業の可否を判断可能な未使用期間データである点にある。
【００１２】
同第四の特徴構成は、同請求項４に記載した通り、上述の第二の特徴構成に加えて、セットアップ作業により更新される露光条件で、特性の異なる印画紙毎に固有の露光条件を記憶可能な露光条件記憶部と、前記露光条件記憶部に記憶された露光条件に基づいて各印画紙を露光する投影露光部とを備え、前記報知条件が各印画紙に対するセットアップ作業の可否を判断可能な未使用期間データである点にある。
【００１３】
使用頻度の低い印画紙に対するセットアップ作業を日々行なうのは非効率的であるが、例えば複数のオペレータが交代でセットアップ作業をするような場合に、個々のオペレータが履歴データを参照して各印画紙の使用頻度を把握した後にセットアップ作業の可否を判断するのは実質的に困難である。上述の第三及び第四特徴構成によれば、そのような場合でも、報知条件として各印画紙の未使用期間データを設定入力しておけば、履歴管理部により管理されている未使用期間の履歴データが、報知条件入力部から入力された未使用期間を満たしたときに、履歴データ出力部から当該履歴データが出力されるので、オペレータは出力された当該履歴データ等に基づいて該当する印画紙に対するセットアップ作業を省略することができるようになるのである。
【００１４】
同第五の特徴構成は、同請求項５に記載した通り、上述の第三または四の特徴構成に加えて、前記履歴データ出力部から出力される履歴データは、該当する印画紙の未使用期間データである点にある。
【００１５】
上述構成によれば、報知条件入力部から入力された未使用期間を満たしたとき以降、その印画紙の実際の未使用期間データが表示されるので、オペレータや管理者は当該印画紙の未使用期間データを把握して適切な対応を採ることができるようになる。
【００１６】
同第六の特徴構成は、同請求項６に記載した通り、上述の第三から第五の何れかの特徴構成に加えて、前記報知条件が各印画紙に対するセットアップ作業の未完了を判断可能なセットアップ未完データであり、前記履歴データ出力部はセットアップ作業の完了していない印画紙が使用されるときに作動するように構成してある点にある。
【００１７】
上述の構成により、セットアップ作業が終了していない印画紙を使用する場合には履歴データ出力部からの表示によりオペレータがその旨を認識できるので、セットアップ作業を行なうことなくそのまま写真プリントが実行されるという不都合を回避することができるようになる。
【発明の効果】
【００１８】
以上説明した通り、本発明によれば、特性の異なる印画紙を使用可能であっても、各印画紙の使用頻度を適切に把握して在庫管理等を適正に行なえ、また、使用頻度の低い印画紙を適切に把握して不要なセットアップ作業を未然に回避できる写真処理装置を提供することができるようになった。
【発明を実施するための最良の形態】
【００１９】
以下に本発明による写真処理装置の実施の形態を説明する。写真処理装置は、図１及び図２に示すように、供給される印画紙Ｐに露光及び現像処理を行ない出力する写真プリンタＡと、前記写真プリンタＡで処理されるプリントデータを生成、編集するとともに、前記写真プリンタＡを制御する操作部Ｂとを備えて構成される。
【００２０】
前記写真プリンタＡは、ロール状に巻回された印画紙Ｐを収容する２つの印画紙マガジン１０と、印画紙マガジン１０から引き出し搬送された印画紙Ｐを所定のプリントサイズに切断するカッター１１と、切断された印画紙Ｐを露光するプリントヘッドが収容された露光部１２と、露光後の印画紙Ｐを現像処理する複数の現像処理槽を備えた現像処理部１３と、現像処理後に乾燥された印画紙Ｐを排出するべく装置上部に配置された横送りコンベア１４と、横送りコンベア１４に排出されたオーダ単位の印画紙Ｐ、つまり写真プリントが搬送される複数のトレイ１５ａを備えたソータ１５を備えて構成され、各トレイ１５ａにオーダ単位で仕分けられるように構成される。
【００２１】
各印画紙マガジン１０には収容されている印画紙のサイズや特性、つまり種別を一義的に特定するＩＤコードがバーコード等の形態で付与されており、当該印画紙マガジン１０の装着部に設けたＩＤコードリーダ１０ａで読み取ることにより装着されている印画紙Ｐの特性等を示す種別が認識可能に構成されている。
【００２２】
前記露光部１２は、所定速度で副走査方向に搬送される印画紙Ｐに対して、当該搬送速度に同期してＲ（赤）、Ｇ（緑）、Ｂ（青）の３色の光線束を主走査方向に照射するプリントヘッドを設けて構成してあり、当該プリントヘッドから出力される光線束は、前記操作部Ｂから送られてくるプリントデータに基づいて変調制御される。プリントヘッドは、レーザビーム方式、蛍光ビーム方式、液晶シャッター方式、ＤＭＤ方式等の各種の方式を採用することが可能であり、本実施形態ではレーザビーム方式を採用している。
【００２３】
前記操作部Ｂは、写真フィルムＦに記録されているコマ画像をデジタルデータとして読み取るフィルムスキャナ２と、所定のアプリケーションプログラムがインストールされた汎用のコンピュータ３と、当該コンピュータ３に接続されたモニタ３０、キーボードやマウスでなる操作入力部３１、測色計４等を備えて構成される。
【００２４】
前記フィルムスキャナ２により読み取られたコマ画像の画像データは、画像入力ボード３３を介して前記コンピュータ３の画像メモリに入力され、前記モニタ３０に表示される。当該写真処理装置を操作するオペレータが、モニタ３０に表示された画像を目視しながら前記操作入力部３１を操作して所定の画像処理操作等を行なうことにより、当該コンピュータ３は前記写真プリンタＡに出力する最終のプリントデータを生成する。前記測色計４は後述する日々のセットアップ作業に使用されるもので、前記写真プリンタＡから出力されたテストプリントのカラーパッチの濃度を測定するものである。
【００２５】
前記コンピュータ３は、さらに、デジタルカメラによる撮影画像が格納されたスマートメディアやコンパクトフラッシュ等の記憶媒体から画像データを取得するメディアリーダ３ａを備えてあり、前記フィルムスキャナ２と当該メディアリーダ３ａにより画像データ入力部３２が構成される。
【００２６】
前記フィルムスキャナ２は、フィルム搬送部２０と、フィルム搬送部２０の上方に配置された照明光学系２１と、フィルム搬送部２０の下側に配置された結像光学系２２と、結像光学系２２による合焦位置に配置された光電変換部２３を備えて構成され、照明光学系２１からの光線束をスリット２４を介して搬送されるフィルムＦに照射することで光電変換部２３に備えたラインセンサによりコマ画像が読み取られるように構成されている。前記光電変換部２３で読み取られた画像データは、上述の画像入力ボード３３を介して前記コンピュータ３のメモリに取り込まれる。
【００２７】
前記コンピュータ３を本発明に関連する機能ブロックに分割して説明すると、図３に示すように、各印画紙の使用履歴を管理する履歴管理部３ｋと、前記履歴管理部３ｋにより管理される履歴データまたは当該履歴データに対応するデータを出力する履歴データ出力部３ｎと、各印画紙に関連する履歴データの報知条件を入力する報知条件入力部３ｍと、前記画像データ入力部３２から入力された画像データに対して色調補正や各種のフィルタリング等の各種フォトレタッチ処理を行う画像データ処理部３ｂと、画像データ本来の階調性と使用される印画紙及び写真プリンタＡの特性を反映した写真プリントが示す階調性をマッチングさせるべく、補正処理部としてフォトレタッチ処理を完了した画像データに対して階調補正処理を施す階調補正処理部３ｃと、階調補正済みの画像データから前記露光部１２に対応したプリントデータを生成するプリントデータ生成部３ｅと、前記ＩＤコードリーダ１０ａにより読み取られた使用される印画紙の特性を認識する印画紙種別認識部３ｉ、前記モニタ３０への表示データを生成するビデオ制御部３ｊ等を備えて構成されている。
【００２８】
前記履歴管理部３ｋは、当該写真処理装置で使用される特性（種別）の異なる各印画紙の使用履歴を管理するもので、印画紙の特性毎に使用された日時、使用量、セットアップ作業の行なわれた日時等を履歴データとして管理し、それらの履歴データまたは履歴データに対応するデータが履歴データ出力部３ｍから出力される。前記履歴データ出力部３ｍは、前記ビデオ制御部３ｊを介してモニタ３０に出力し、或いは、図示していない鳴動部を駆動してアラームを出力するように構成されている。
【００２９】
さらに、前記履歴管理部３ｋは、前記履歴データが前記報知条件入力部３１から入力された報知条件を満たしたときに、前記履歴データ出力部から履歴データまたは当該履歴データに対応するデータを出力するように構成してあり、図８に示すように、前記履歴管理部３ｋで管理される履歴データに対して（Ｓ３１）、予め報知条件入力部３１に報知条件を入力しておき（Ｓ３２）、履歴データが入力された報知条件を満たしたときに（Ｓ３３）、当該履歴データ等を出力することで（Ｓ３４）、通常の作業では履歴データに注意を払わなくとも、出力されたときに注意を払うことができるように構成されている。以下、前記履歴管理部３ｋ等による印画紙の履歴管理の一例を説明する。
【００３０】
前記階調補正処理部３ｃには、供給される印画紙の種別に応じて複数のルックアップテーブル方式（ＬＵＴ）の階調補正データ（本実施形態では三種類の階調補正データ）を記憶する補正データ記憶部としての階調補正データ記憶部３ｄが設けられ、前記印画紙種別認識部３ｉにより認識された印画紙の種別に対応する階調補正データが選択されて階調補正される。
【００３１】
前記写真プリンタＡの現像処理槽に充填されている処理液の活性度やプリントヘッド等の特性の変動により、同一特性（種別）の印画紙を使用しても、日々発色度合いや濃度が変動するために、上述の階調補正データ記憶部３ｄに記憶された補正データを適宜補正処理する必要がある。このような補正処理をセットアップ作業という。このセットアップ作業を行なうために、前記コンピュータ３には、テストプリントのためのデータを格納する特性評価用画像データ格納部３ｇと、階調補正データ演算部３ｈと、セットアップ処理部３ｆを設けてある。
【００３２】
図４から図６に示すように、上述の写真処理装置に電源を投入すると、モニタ３０に前記階調補正データ記憶部３ｄに記憶された三種別の印画紙に対応するセットアップ設定画面が表示される（Ｓ１）。セットアップ設定画面に表示される報知条件入力スイッチをクリックすると、前記報知条件入力部３１が起動されて、図５（ａ）に示す報知条件入力画面が表示され、印画紙種別毎に未使用日数が設定可能になる。未使用日数とは各印画紙の連続する未使用日数をいい、画面左方のアップダウンキーをクリックすることにより所望の日数が設定できるように構成されている。所望の日数（ここでは、７日）をセットして「ＹＥＳ」キーをクリックすると設定が終了し（Ｓ２）、前記履歴管理部３ｋは履歴データから設定された報知条件を満たす履歴データの有無を最終の使用日時データから判断して（Ｓ３）、報知条件を満たす履歴データが有るときには、図５（ｂ）に示す報知画面を表示するとともにアラームを鳴動させる（Ｓ４）。同図では、印画紙種別３が７日間未使用である旨が表示される。７日以上未使用の場合には、連続する未使用日数が表示される。報知画面で「警報音停止」キーをクリックすると鳴動が停止し、「ＹＥＳ」キーをクリックするとセットアップ作業の開始画面に移行する。
【００３３】
オペレータは、当該報知画面により印画紙種別３に対するセットアップ作業が不要であると判断して、他の印画紙種別に対するセットアップ作業を開始する。先ず、補正処理する印画紙が収容された印画紙マガジン１０をセットし、モニタ画面に表示されるスタートスイッチをクリックすると、前記ＩＤコードリーダ１０ａにより読み込まれ、前記印画紙種別認識部３ｉにより認識された印画紙に対するセットアップ動作が開始される（Ｓ５）。
【００３４】
先ず、前記特性評価用画像データ格納部３ｇに格納された画像データを読み込み（Ｓ６）、当該印画紙に対応するセットアップ前のデフォルト値（前日のセットアップ作業で更新された補正データ）に基づいて階調補正処理が実行され（Ｓ７）、さらに前記プリントデータ生成部３ｅにより生成されたプリントデータが写真プリンタＡに出力されてテストプリントが出力される（Ｓ８）。当該特性評価用画像データは、赤、緑、青の各色に対して１８階調のテストパッチを印字する画像データと、各テストパッチに対応する目標濃度値で構成される。尚、図５に示すテストプリントの模式図は例示であり、上述の説明に対応するものではない。
【００３５】
オペレータが出力されたテストプリントを前記測色計４に挿入すると、各テストパッチの濃度が読み取られ、読み取られた測定濃度値が前記階調補正データ演算部３ｈに入力される（Ｓ９）。前記階調補正データ演算部３ｈには、さらに上述の各テストパッチに対応する目標濃度値が入力され、測定濃度値が目標濃度値になるように変換係数を演算導出する（Ｓ１０）。前記セットアップ処理部３ｆは演算導出された変換係数を新たな階調補正データとして前記階調補正データ記憶部３ｄのルックアップテーブルを書き換える（Ｓ１１）。
【００３６】
上述したステップＳ５からＳ１１の処理を、種別の異なる印画紙に対して繰り返すことにより、前記階調補正データ記憶部３ｄの各ルックアップテーブルが書き換えられて、セットアップ作業が終了するのである（Ｓ１２）。
【００３７】
上述のセットアップ処理が終了した後に、一般のプリント処理を行なう手順について説明する。図７に示すように、前記フィルムスキャナ２または前記メディアリーダから画像データが読み込まれると（Ｓ２１）、対応する画像がモニタ３０に表示されるので、オペレータはモニタ３０の画面を見ながら操作入力部３１を操作してフォトレタッチ処理を行なう（Ｓ２２）。全ての画像に対してのフォトレタッチ処理が終了し、プリントサイズやプリント枚数が設定されると、対応する印画紙マガジンが決定される（Ｓ２３）。対応する印画紙マガジン１０が装着されていないときには、モニタ３０にメッセージ表示されるので、それに従ってオペレータが対応する印画紙マガジン１０を装着することになる。
【００３８】
装着された印画紙マガジン１０の種別が前記ＩＤコードリーダ１０ａにより読み取られ、印画紙種別認識部３ｉで種別が認識されると（Ｓ２４）、前記階調補正処理部３ｃは認識された種別に対応する階調補正データを使用すべく、前記階調補正データ記憶部３ｄに格納されている階調補正ルックアップテーブルＬＵＴ１からＬＵＴ３から印画紙種別に対応したルックアップテーブルを特定して（Ｓ２５）、各画像の階調性を補正処理する（Ｓ２６）。
【００３９】
階調補正された画像データはプリントデータに変換処理された後に（Ｓ２７）、写真プリンタに出力され（Ｓ２８）、写真プリントが出力される（Ｓ２９）。
【００４０】
以上説明した通り、本発明によれば、特性の異なる印画紙を使用可能であっても、各印画紙の使用頻度を適切に把握して在庫管理等を適正に行なえ、また、使用頻度の低い印画紙を適切に把握して不要なセットアップ作業を未然に回避できるようになるのである。
【００４１】
以下に別実施形態を説明する。上述した例では、報知条件が各印画紙に対するセットアップ作業の可否を判断可能な未使用期間データであり、履歴データ出力部から出力される履歴データが、該当する印画紙の未使用期間データである場合を説明したが、履歴データ出力部から出力される履歴データは未使用期間データそのものである必要は無く、単に、未使用でありセットアップ作業が必要でない旨のメッセージデータ等、当該履歴データに対応するデータであってもよい。
【００４２】
また、報知条件としては、これ以外に管理される履歴データ、つまり、使用された日時、使用量、セットアップ作業の行なわれた日時等から判断可能な諸条件を設定することが可能で、各印画紙の所定期間内の累積使用量とする場合には、在庫管理等を効率的に行なうことができる。つまり、報知画面の目視確認またはアラームの鳴動により例えば在庫が僅かである等の確認が可能となる。
【００４３】
さらに、報知条件が各印画紙に対するセットアップ作業の未完了を判断可能なセットアップ未完データとすることにより、その日にセットアップ作業の完了していない印画紙マガジンが使用されるときに、履歴データ出力部からその旨のメッセージを出力したりアラームを鳴動させることにより、無駄なプリントが出力されるような事態を未然に回避することができるようになる。
【００４４】
上述の実施形態では、履歴管理部をデジタル方式の写真処理装置に対するセットアップ作業時の効率化に適用する場合を説明したが、アナログ方式、つまり投影露光方式の写真処理装置にも適用可能である。即ち、セットアップ作業により更新される露光条件で、特性の異なる印画紙毎に固有の露光条件を記憶可能な露光条件記憶部と、前記露光条件記憶部に記憶された露光条件に基づいて各印画紙を露光する投影露光部とを備えた写真処理装置に上述の履歴管理部、報知条件入力部、履歴データ出力部を備え、前記報知条件を各印画紙に対するセットアップ作業の可否を判断可能な未使用期間データとするようなものである。
【００４５】
上述の実施形態では、何れも、各印画紙に関連する履歴データの報知条件を入力する報知条件入力部を設け、前記印画紙の使用履歴が前記報知条件入力部から入力された報知条件を満たしたときに、前記履歴データ出力部から履歴データまたは当該履歴データに対応するデータを出力するものを説明したが、報知条件入力部を設けずに、常に履歴データ出力部から管理されている履歴データを出力するように構成してもよい。
【図面の簡単な説明】
【００４６】
【図１】本発明による写真処理装置の外観図
【図２】本発明による写真処理装置の構造を説明する模式図
【図３】本発明による写真処理装置のコントローラの機能ブロック構成図
【図４】セットアップ作業時における履歴管理部の動作を説明するフローチャート
【図５】履歴データ出力部による出力画面の説明図
【図６】セットアップ動作の手順を示す説明図
【図７】階調補正処理の手順を示す説明図
【図８】履歴管理部の基本的動作を説明するフローチャート
【符号の説明】
【００４７】
２：フィルムスキャナ
３：コンピュータ（コントローラ）
３ｃ：補正処理部（階調補正処理部）
３ｄ：補正データ記憶部（階調補正データ記憶部）
３ｆ：セットアップ処理部
３ｇ：特性評価用画像データ格納部
３ｈ：階調補正データ演算部
３ｉ：印画紙種別認識部
３ｋ：履歴管理部
３ｌ：報知条件入力部
３ｍ：履歴データ出力部
【図１】
2005345580.tif 000003
【図２】
2005345580.tif 000004
【図３】
2005345580.tif 000005
【図４】
2005345580.tif 000006
【図５】
2005345580.tif 000007
【図６】
2005345580.tif 000008
【図７】
2005345580.tif 000009
【図８】
2005345580.tif 000010